(57)【要約】【課題】複数の種類の感光体が用いられる電子写真方式の画像形成装置について、装着された感光体の種類に起因して発生する画質のばらつきを抑制することのできる技術を提供する。【解決手段】画像形成装置１のスクリーン記憶領域１３２には、画像データに対してスクリーン処理を施す際に用いられるスクリーンが複数記憶されている。画像形成装置１のパラメータ選択部は、ドラムライフ値記憶領域１３１に記憶されたドラムライフ値を参照し、このドラムライフ値に応じて複数のスクリーンのなかからいずれかを選択する。スクリーン処理部は、選択されたスクリーンを用いて、処理対象となる画像データに対してスクリーン処理を施す。スクリーン処理が施された画像データは画像形成部１７に供給され、画像形成部１７は、供給された画像データに従って記録媒体上に画像を形成する。【選択図】図１
2012234015.tif 000002
【特許請求の範囲】
【請求項１】
感光体を用いて記録媒体に画像を形成する画像形成手段に装着された感光体の種類に関する情報を取得する情報取得手段と、
前記感光体の表面に静電潜像を形成するためのデータを生成する際に用いられるパラメータを複数記憶するパラメータ記憶手段に記憶された複数のパラメータのなかから、前記情報取得手段によって取得された情報に応じていずれかを選択するパラメータ選択手段と、
第１の画像データを、前記パラメータ選択手段によって選択されたパラメータを用いて第２の画像データに変換するデータ変換手段と、
前記データ変換手段によって変換された第２の画像データを前記画像形成手段に出力する出力手段と
を具備することを特徴とする画像処理装置。
【請求項２】
前記パラメータは、スクリーン処理の際に用いられるスクリーンであり、
前記パラメータ選択手段は、前記取得された情報に応じて前記パラメータ記憶手段に記憶された複数のスクリーンのなかからいずれかを選択し、
前記データ変換手段は、前記第１の画像データに対して、前記パラメータ選択手段によって選択されたスクリーンを用いてスクリーン処理を施す
ことを特徴とする請求項１に記載の画像処理装置。
【請求項３】
前記情報取得手段は、前記感光体の寿命を表すライフ値を取得し、
前記パラメータ選択手段は、前記取得されたライフ値を予め定められた閾値と比較し、比較結果に応じて前記パラメータを選択する
ことを特徴とする請求項１又は２に記載の画像処理装置。
【請求項４】
前記パラメータ選択手段は、前記取得手段が前記情報を取得できなかった場合には、予め定められたパラメータを選択する
ことを特徴とする請求項１乃至３のいずれか１項に記載の画像処理装置。
【請求項５】
前記パラメータ選択手段は、前記取得手段が前記情報を取得できなかった場合には、前記記録媒体上への画像形成を行わないように当該装置を制御する
ことを特徴とする請求項１乃至３のいずれか１項に記載の画像処理装置。
【請求項６】
請求項１乃至５のいずれか１項に記載の画像処理装置と、
前記画像形成手段と
を具備することを特徴とする画像形成装置。
【発明の詳細な説明】
【技術分野】
【０００１】
本発明は、画像処理装置及び画像形成装置に関する。
【背景技術】
【０００２】
電子写真方式で画像形成処理を行う画像形成装置においては、感光体ドラムを一定時間以上使用した場合に、磨耗等によって感光体ドラムが劣化して画質が低下する場合がある。そこで、このような画像形成装置においては、劣化した感光体ドラムを別の感光体ドラムに交換し得る構成となっている（例えば、特許文献１参照）。
【先行技術文献】
【特許文献】
【０００３】
【特許文献１】特開平８−１１０７４４号公報
【発明の概要】
【発明が解決しようとする課題】
【０００４】
本発明は、複数の種類の感光体が用いられる電子写真方式の画像形成装置について、装着された感光体の種類に起因して発生する画質のばらつきを抑制することのできる技術を提供することを目的とする。
【課題を解決するための手段】
【０００５】
本発明の請求項１に係る画像処理装置は、感光体を用いて記録媒体に画像を形成する画像形成手段に装着された感光体の種類に関する情報を取得する情報取得手段と、前記感光体の表面に静電潜像を形成するためのデータを生成する際に用いられるパラメータを複数記憶するパラメータ記憶手段に記憶された複数のパラメータのなかから、前記情報取得手段によって取得された情報に応じていずれかを選択するパラメータ選択手段と、第１の画像データを、前記パラメータ選択手段によって選択されたパラメータを用いて第２の画像データに変換するデータ変換手段と、前記データ変換手段によって変換された第２の画像データを前記画像形成手段に出力する出力手段とを具備することを特徴とする。
【０００６】
本発明の請求項２に係る画像処理装置は、上記画像処理装置において、前記パラメータは、スクリーン処理の際に用いられるスクリーンであり、前記パラメータ選択手段は、前記取得された情報に応じて前記パラメータ記憶手段に記憶された複数のスクリーンのなかからいずれかを選択し、前記データ変換手段は、前記第１の画像データに対して、前記パラメータ選択手段によって選択されたスクリーンを用いてスクリーン処理を施すことを特徴とする。
【０００７】
本発明の請求項３に係る画像処理装置は、上記画像処理装置において、前記情報取得手段は、前記感光体の寿命を表すライフ値を取得し、前記パラメータ選択手段は、前記取得されたライフ値を予め定められた閾値と比較し、比較結果に応じて前記パラメータを選択することを特徴とする。
【０００８】
本発明の請求項４に係る画像処理装置は、上記画像処理装置において、前記パラメータ選択手段は、前記取得手段が前記情報を取得できなかった場合には、予め定められたパラメータを選択することを特徴とする。
【０００９】
本発明の請求項５に係る画像処理装置は、上記画像処理装置において、前記パラメータ選択手段は、前記取得手段が前記情報を取得できなかった場合には、前記記録媒体上への画像形成を行わないように当該装置を制御することを特徴とする。
【００１０】
本発明の請求項６に係る画像形成装置は、上記画像処理装置と、上記画像形成手段とを具備することを特徴とする。
【発明の効果】
【００１１】
請求項１に記載の画像処理装置によれば、複数の種類の感光体が用いられる電子写真方式の画像形成装置について、装着された感光体の種類に関する情報に応じたパラメータを用いてデータ変換を行わない場合に比べて、装着された感光体の種類に起因して発生する画質のばらつきを抑制することができる。
請求項２に記載の画像処理装置によれば、複数種類の感光体のそれぞれに適したスクリーンを用いてスクリーン処理を行うことができる。
請求項３に記載の画像処理装置によれば、感光体の種類を判定するための情報を別途設ける必要がない。
請求項４に記載の画像処理装置によれば、想定されていない感光体が画像形成装置本体に装着された場合であっても、利用者が所望する画像形成処理を継続することができる。
請求項５に記載の画像処理装置によれば、想定されていない感光体が画像形成装置本体に装着された場合に、画像形成処理を中止することができる。
請求項６に記載の画像形成装置によれば、複数の種類の感光体が用いられる電子写真方式の画像形成装置において、装着された感光体の種類に関する情報に応じたパラメータを用いてデータ変換を行わない場合に比べて、装着された感光体の種類に起因して発生する画質のばらつきを抑制することができる。
【図面の簡単な説明】
【００１２】
【図１】画像形成装置のハードウェア構成の一例を示すブロック図である。
【図２】画像形成部の構成の一例を示す図である。
【図３】画像形成装置の機能構成の一例を示すブロック図である。
【図４】画像形成装置が行う処理の流れを示すフローチャートである。
【発明を実施するための形態】
【００１３】
＜構成＞
図１は、この発明の一実施形態である画像形成装置１の構成の一例を示すブロック図である。画像形成装置１は、本発明に係る画像形成装置の一例である。画像形成装置１は、電子写真方式で画像形成を行う装置であり、パーソナルコンピュータなどの他のコンピュータ装置から送られたデータに従って、用紙等の記録媒体に画像を形成する画像形成機能、画像を複写する複写機能、記録媒体に形成されている画像を読み取るスキャン機能などを備えている。画像形成装置１が備える機能はこれらの機能に限定されるものではなく、例えばファクシミリ機能を備えていてもよい。また、画像形成装置１は、上述した機能を全て備えているものに限定されず、例えば、画像形成機能及び複写機能を備えており、他の機能を備えていない構成であってもよい。また、画像形成装置１によって画像が形成される記録媒体は紙に限定されるものではなく、例えばＯＨＰ（OverHead Projector）用のシートなどの透明な合成樹脂のシートであってもよく、また、その他の材質のものであってもよい。
【００１４】
図示のように、画像形成装置１の各部はバス１１に接続され、バス１１を介して各部間でデータのやり取りを行う。図において、制御部１２は、ＣＰＵ（Central Processing Unit）１２１や、ＲＯＭ（Read Only Memory）１２２、ＲＡＭ（Random Access Memory）１２３を備え、ＲＯＭ１２２又は記憶部１３に格納されたコンピュータプログラムにしたがって画像形成装置１の制御を行う。記憶部１３は、ハードディスク等の記憶手段であり、画像形成装置１の制御に関するプログラムなどの各種プログラムが格納されている。操作表示部１４は、タッチパネルとして機能する液晶ディスプレイを備えており、画像形成装置１の利用者はこの液晶ディスプレイに触れることで各種の操作を行う。通信部１８は、通信ケーブルで通信回線２に接続され、通信回線２に接続されている他の装置とデータ通信を行う。通信回線２としては、電話回線やＬＡＮ（Local Area Network）等が挙げられる。
【００１５】
画像読取部１５は、光学系部材（図示略）を備えており、原稿の画像を光学的に読み取り、読み取った画像を表す画像データを生成する。画像処理部１６は、入力される画像データが表す画像に色補正や階調補正等の各種の画像処理を施し、画像処理が施された画像からイエロー（Ｙ）、マゼンタ（Ｍ）、シアン（Ｃ）、ブラック（Ｂ）の各色の画像の画像データを生成し、生成した画像データにスクリーン処理を施して画像形成部１７へ出力する。画像処理部１６は、ＡＳＩＣ（Application Specific Integrated Circuit）等の集積回路によって構成される。
【００１６】
画像形成部１７は、電子写真方式によって記録媒体に画像を形成する。画像形成部１７は、感光体を用いて記録媒体に画像を形成する画像形成手段の一例である。図２は、画像形成部１７の構成の一例を示す図である。図において、感光体ドラム１７１Ｙ、１７１Ｍ、１７１Ｃ、１７１Ｋはそれぞれ、表面に有機感材等の光導電層が形成された感光体ドラムである。帯電器１７２Ｙ、１７２Ｍ、１７２Ｃ、１７２Ｋはそれぞれ、感光体ドラム１７１Ｙ、１７１Ｍ、１７１Ｃ、１７１Ｋの表面にＡＣとＤＣ（直流）を重畳した帯電バイアスで電荷を与え、これを一様に帯電させる帯電器である。露光器１７３は、レーザダイオード等のビーム発光源を備えた露光器である。露光器１７３は、画像処理部１６から供給される画像データに従って、感光体ドラム１７１Ｙ、１７１Ｍ、１７１Ｃ、１７１Ｋをそれぞれ露光して、感光体ドラム１７１Ｙ、１７１Ｍ、１７１Ｃ、１７１Ｋの表面に静電潜像を形成する。
【００１７】
トナーカートリッジ１７４Ｙ、１７４Ｍ、１７４Ｃ、１７４Ｋはそれぞれ、イエロー、マゼンタ、シアン、ブラックの各色のトナーを収容し、これを必要に応じて現像器１７５Ｙ、１７５Ｍ、１７５Ｃ、１７５Ｋのそれぞれに供給する。現像器１７５Ｙ、１７５Ｍ、１７５Ｃ、１７５Ｋはそれぞれ、感光体ドラム１７１Ｙ、１７１Ｍ、１７１Ｃ、１７１Ｋの表面に形成された静電潜像にトナーを付着させてトナー像を作像する。
【００１８】
一次転写ロール１７６Ｙ、１７６Ｍ、１７６Ｃ、１７６Ｋはそれぞれ、中間転写ベルト１７７を介して感光体ドラム１７１Ｙ、１７１Ｍ、１７１Ｃ、１７１Ｋと対向し、この対向する位置においてトナー像を中間転写ベルト１７７に転写する。中間転写ベルト１７７は、一次転写ロール１７６Ｙ、１７６Ｍ、１７６Ｃ、１７６Ｋのそれぞれによって転写されたトナー像を保持する。中間転写ベルト１７７は、複数の支持ロール１７８により支持されて図中の矢印Ａ１が示す方向に周回しながら移動する。二次転写ロール１７９は、中間転写ベルト１７７に転写されたトナー像を記録媒体に転写する。搬送ロール１８０は、記録媒体を搬送する。定着器１８１は、二次転写ロール１７９によりトナー像が転写された記録媒体を加熱及び加圧することによって、トナー像を記録媒体に定着させる。
【００１９】
画像形成装置１には、複数の種類の感光体ドラムが着脱可能となっており、画像形成装置１の利用者は、自身の用途に応じて、自身の所望する種別の感光体ドラムを画像形成装置１に装着して用いる。ここでは、「標準タイプ」の感光体ドラムと「ロングライフタイプ」の感光体ドラムとの２種類の感光体ドラムが用いられる。「標準タイプ」の感光体ドラムは一般的に用いられている感光体ドラムである。一方、「ロングライフタイプ」の感光体ドラムは、標準タイプと比較して耐磨耗性や耐傷性が高く、長期間にわたり画像形成が可能なドラムである。「ロングライフタイプ」の感光体ドラムは、長寿命であるという特性を有するものの、画像形成においては、標準タイプの感光体ドラムと濃度再現性が異なり、ハイライトが薄くなったり、また、白飛びし易い、低濃度の再現性が悪い、といった特性を有する場合がある。
【００２０】
記憶部１３は、図示のように、ドラムライフ値記憶領域１３１と、スクリーン記憶領域１３２とを有している。ドラムライフ値記憶領域１３１には、画像形成装置１に装着された感光体ドラムの寿命を示すドラムライフ値が記憶されている。このドラムライフ値は、値が大きいほど寿命が長いことを示す。そのため、ロングライフタイプの感光体ドラムは標準用の感光体ドラムよりもドラムライフ値が大きい。なお、このドラムライフ値は、感光体ドラムのそれぞれに予め決められた値であり、使用されている期間にわたって一切変化しない値である（すなわち、使用の程度で値が小さくなるといったものではない。）このドラムライフ値は感光体ドラムに記録されている情報であり、画像形成装置１の利用者が感光体ドラムの交換を行ってフロントカバーを閉じたとき等の予め定められたタイミングで、感光体ドラムからドラムライフ値が読み取られて制御部１２に通知される。制御部１２は、ドラムライフ値が通知されると、通知されたドラムライフ値をドラムライフ値記憶領域１３１に格納する。このドラムライフ値は、感光体ドラムの交換時期の判定処理等の、種々の処理において参照される情報である。なお、正規品とは異なる感光体ドラムの場合には、ドラムライフ値が感光体ドラムに書き込まれていなかったり、感光体ドラムが装置に装着されてもドラムライフ値の読み出しが正常に行われなかったりする場合が有り得る。
【００２１】
スクリーン記憶領域１３２には、画像処理部１６がスクリーン処理を行う際に用いられるスクリーンが複数記憶されている。スクリーン記憶領域１３２は、感光体の表面に静電潜像を形成するためのデータを生成する際に用いられるパラメータを複数記憶するパラメータ記憶手段の一例である。スクリーン処理は、画像データを網点で表される情報に変換する処理であり、スクリーンは、この網点の配置パターンを表すパラメータである。画像処理部１６は、処理対象となる画像データに対して、スクリーン記憶領域１３２に記憶されたスクリーンを用いてスクリーン処理を施し、多値データを２値データに変換する。
【００２２】
この実施形態では、スクリーン記憶領域１３２には、「標準タイプ」の感光体ドラム用の標準スクリーンＳＣ１と、「ロングライフタイプ」の感光体ドラム用のロングライフ用スクリーンＳＣ２との２種類のスクリーンが記憶されている。これらのパラメータは、それぞれの感光体ドラムの特性が加味された値が設定されている。標準スクリーンＳＣ１は、一般的なスクリーン処理において用いられるスクリーンである。一方、ロングライフ用スクリーンＳＣ２は、「ロングライフタイプ」の感光体ドラムを用いた場合の画質の低下を是正するような値が設定されている。具体的には、ロングライフ用スクリーンＳＣ２は、標準スクリーンＳＣ１よりもハイライトが濃くなるように値が設定されていたり、また、白飛びを軽減するような値が設定されていたり、また、低濃度の場合に濃度を高くするような値が設定されている。「ロングライフタイプ」の感光体ドラムを用いる場合に、標準スクリーンＳＣ１に代えてロングライフ用スクリーンＳＣ２を用いてスクリーン処理を行うことによって、「ロングライフタイプ」の感光体ドラムを用いる場合の画質の低下が軽減される。
【００２３】
次に、画像形成装置１の機能的構成について図面を参照しつつ説明する。図３は、画像形成装置１の機能的構成の一例を示すブロック図である。図において、パラメータ選択部１６１とスクリーン処理部１６２はそれぞれ、制御部１１及び画像処理部１６の少なくともいずれか一方によって実現される。なお、画像形成装置１は、スクリーン処理以外にも、色補正や階調補正等の各種の画像処理を行うが、図３に示す例においては、図が煩雑になるのを防ぐため、スクリーン処理に係る構成について図示することとし、他の画像処理に係る構成についてはその図示を省略している。
【００２４】
図において、パラメータ選択部１６１は、感光体の種類に関する情報を取得する情報取得手段の一例であるとともに、当該装置に装着された感光体の種類に応じて、記憶された複数のパラメータのなかからいずれかを選択するパラメータ選択手段の一例である。ここでは、パラメータ選択部１６１は、ドラムライフ値記憶領域１３１に記憶されたドラムライフ値を読み出し（取得し）、読み出した値に応じて、スクリーン記憶領域１３２に記憶された複数のスクリーンのなかからいずれかを選択する。より具体的には、パラメータ選択部１６１は、ドラムライフ値記憶領域１３１に記憶されたドラムライフ値を予め定められた閾値と比較し、比較結果に応じてスクリーンを選択する。パラメータ選択部１６１は、ドラムライフ値記憶領域１３１に記憶されたドラムライフ値が予め定められた閾値以下である場合には標準スクリーンＳＣ１を選択する一方、それ以外の場合にはロングライフ用スクリーンＳＣ２を選択する。
【００２５】
スクリーン処理部１６２は、処理対象となる画像データに対して、パラメータ選択部１６１によって選択されたスクリーンを用いてスクリーン処理を施し、スクリーン処理を施した画像データを画像形成部１７に供給する（出力する）。スクリーン処理部１６２は、第１の画像データを、選択されたパラメータを用いて第２のデータに変換するデータ変換手段の一例であるとともに、変換された第２のデータを画像形成手段に出力する出力手段の一例である。
【００２６】
＜動作＞
次に、画像形成装置１が行う処理について図４に示すフローチャートを参照しつつ説明する。画像形成装置１は、利用者によって操作表示部１４が操作されたり、外部の装置から処理対象となる画像データを受信したりすることによって画像形成処理の実行を指示される。画像形成処理の実行が指示されると、画像形成装置１のパラメータ選択部１６１は、ドラムライフ値記憶領域１３１に記憶されたドラムライフ値を参照（チェック）する（ステップＳ１）。ここで、パラメータ選択部１６１は、ドラムライフ値が通知されているか否かを判定する（ステップＳ２）。ドラムライフ値記憶領域１３１にドラムライフ値が記憶されている場合は、ドラムライフ値が正常に通知されていると判定する一方、記憶されていない場合は、ドラムライフ値が通知されていないと判定する。ドラムライフ値が通知されている場合には（ステップＳ２；ＹＥＳ）、パラメータ選択部１６１は、ドラムライフ値と予め定められた閾値とを比較し（ステップＳ３）、ドラムライフ値が閾値以下か否かを判定する（ステップＳ４）。パラメータ選択部１６１は、ドラムライフ値が閾値以下である場合には（ステップＳ４；ＹＥＳ）、スクリーン処理の際に用いるスクリーンとして標準スクリーンＳＣ１を選択する（ステップＳ５）一方、ドラムライフ値が閾値より大きい場合には（ステップＳ４；ＮＯ）、スクリーン処理の際に用いるスクリーンとしてロングライフ用スクリーンＳＣ２を選択する（ステップＳ６）。
【００２７】
ステップＳ２において、ドラムライフ値が通知されていないと判定された場合には（ステップＳ２；ＮＯ）、パラメータ選択部１６１は、スクリーン処理の際に用いるスクリーンとして標準スクリーンＳＣ１を選択する（ステップＳ７）。すなわち、パラメータ選択部１６１は、スクリーンを選択するための情報、すなわちドラムライフ値を取得できなかった場合には、予め定められたパラメータ（ここでは、標準スクリーンＳＣ１）を選択する。次いで、画像処理部１６は、処理対象となる画像データに対して各種の画像処理を行う（ステップＳ８）。特に、画像処理部１６は、ステップＳ７で選択したスクリーンを用いて画像データに対してスクリーン処理を行う。画像処理が施された画像データは画像形成部１７に供給され、画像形成部１７は、供給された画像データに従って記録媒体上に画像を形成する。
【００２８】
このように本実施形態では、標準タイプの感光体ドラムが画像形成装置１に装着されている場合には標準スクリーンＳＣ１を用いてスクリーン処理が行われる一方、ロングライフタイプの感光体ドラムが画像形成装置１に装着されている場合にはロングライフ用スクリーンＳＣ２を用いてスクリーン処理が行われる。このとき、ロングライフ用スクリーンＳＣ２は、上述したように、ロングライフタイプの感光体ドラムを用いたときに発生し得る画質の低下が抑制されるような値が設定されているから、ロングライフ用スクリーンＳＣ２を用いることで、発生し得る画質のばらつきが抑制される。
【００２９】
＜変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の実施形態では、感光体ドラムとして、「標準タイプ」と「ロングライフタイプ」との２種類のものを用いる構成としたが、感光体ドラムの種類はこれらに限定されるものではなく、他の種類の感光体ドラムを用いる構成であってもよい。また、上述の実施形態では、パラメータ選択部１６１が、標準スクリーンＳＣ１とロングライフ用スクリーンＳＣ２との２種類のスクリーンを、ドラムライフ値に応じて使い分ける構成としたが、用いるスクリーンの種類は２種類に限定されるものではなく、これより多くてもよい。例えば、パラメータ選択部１６１が、３種類の異なる種類のスクリーンを、感光体ドラムのライフ値に応じて使い分けるようにしてもよい。
【００３０】
（２）上述の実施形態では、パラメータ選択部１６１は、感光体の種類に関する情報として、感光体ドラムの寿命を示すドラムライフ値を取得したが、感光体の種類に関する情報は、ドラムライフ値に限らず、他の情報であってもよい。例えば、感光体ドラムを識別する識別子（ドラムＩＤ）を読み出す（取得する）ようにしてもよい。この場合は、例えば、画像形成装置１の記憶部１３に、感光体ドラムの識別子とスクリーン種別とを対応付けたテーブルを保持する構成とし、パラメータ選択部１６１が、このテーブルを参照してスクリーンを選択するようにしてもよい。また、感光体の種類に関する情報の他の例としては、例えば、感光体ドラムの材質を示す情報や、感光体ドラムの品番を示す情報であってもよい。要は、感光体の種類に関する情報は、この情報によって感光体の種類が判別し得るものであればどのようなものであってもよい。
【００３１】
（３）上述の実施形態では、パラメータ選択部１６１は、ドラムライフ値が通知されていない場合には標準スクリーンＳＣ１を選択した（図４のステップＳ７参照）。これに代えて、パラメータ選択部１６１が、ドラムライフ値が通知されていない場合（すなわちパラメータを選択するための情報を取得できなかった場合）に、記録媒体上への画像形成を行わないように画像形成装置１を制御するようにしてもよい。
【００３２】
（４）上述の実施形態では、パラメータ選択部１６１が、スクリーン処理で用いるスクリーンを、感光体ドラムの種類に応じて選択するようにしたが、感光体ドラムの種類に応じて選択するパラメータはスクリーンに限らず、他のパラメータであってもよい。例えば、パラメータ選択部１６１が、画像の階調特性を調整するトーン調整処理において参照されるルックアップテーブルを、感光体ドラムの種類に応じて選択するようにしてもよい。このルックアップテーブルは、例えば、画像データの階調値を入力値及び出力値とし、特定の入力値に対して特定の出力値を対応付けたデータの集合であってもよい。また、パラメータの他の例として、例えば、パラメータ選択部１６１が、ＲＧＢ色空間の階調値で表現された画像データを、ＹＭＣＫ色空間の階調値で表現される画像データに変換するに参照される変換パラメータを、感光体ドラムの種類に応じて選択するようにしてもよい。このように、感光体ドラムの種類に応じて選択されるパラメータは、画像処理部１６が行う画像処理において用いられるパラメータであればどのようなものであってもよい。特に、感光体ドラムの表面に静電潜像を形成するためのデータを生成する際に用いられるパラメータであってもよい。
【００３３】
（５）上述の実施形態では、画像データに対して画像処理を実行する画像処理部１６は、制御部１２とは独立したＡＳＩＣ等の集積回路によって構成されたが、これに限らず、画像処理部１６が、制御部１２がＲＯＭ１２２又は記憶部１３に記憶されたコンピュータプログラムを読み出して実行することによってソフトウェアとして実現される構成であってもよい。
【００３４】
（６）上述したＲＯＭ１２２又は記憶部１３に記憶されているプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取可能な記録媒体に記憶した状態で提供し得る。また、インターネット等の通信回線を介して画像形成装置１にダウンロードさせてもよい。
【符号の説明】
【００３５】
１…画像形成装置、２…通信回線、１１…バス、１２…制御部、１３…記憶部、１４…操作表示部、１５…画像読取部、１６…画像処理部、１７…画像形成部、１８…通信部、１２１…ＣＰＵ、１２２…ＲＯＭ、１２３…ＲＡＭ、１３１…ドラムライフ値記憶領域、１３２…スクリーン記憶領域
【図１】
2012234015.tif 000003
【図２】
2012234015.tif 000004
【図３】
2012234015.tif 000005
【図４】
2012234015.tif 000006